(57)【特許請求の範囲】
【請求項１】
屋外に連通するダクトに接続される円筒形のダクト接続口を一方側に備えたダクト側筒体と、換気装置の吹出口に設けられたアダプターに接続するための円筒形のアダプター接続口を一方側に備えたアダプター側筒体と、前記ダクト側筒体および前記アダプター側筒体の内部の通風路を開閉するシャッターと、前記シャッターと連結して回動させる電動開閉器とを備えた電動シャッター装置であって、前記ダクト側筒体と前記アダプター側筒体とは、それぞれの前記一方側に対するもう一方側において差し込み合体され、その際に、前記ダクト側筒体と前記アダプター側筒体のいずれかの前記もう一方側に備えた保持部によって前記シャッターを回動可能に保持するとともに、前記電動開閉器が、前記ダクト側筒体と前記アダプター側筒体のそれぞれの外側面に半割状態で形成された箱体が合体して中央部分に１つに完成される箱体に収められることを特徴とする電動シャッター装置。
【請求項２】
差込み合体されている前記ダクト側筒体と前記アダプター側筒体を、相互に引き抜き分割可能な構成とした請求項１に記載の電動シャッター装置。
【請求項３】
前記シャッターにシャッター軸を設け、前記ダクト側筒体と前記アダプター側筒体のいずれかの前記もう一方側に、前記シャッター軸を回動自在に保持する切り欠き部を設け、前記切り欠き部の内縁を盛り上げて前記シャッター軸との接触面積を小さくする山形状にした請求項１または２に記載の電動シャッター装置。
【発明の詳細な説明】
【技術分野】
【０００１】
本発明は、空調機、換気装置などの機器で屋外と連通するダクトからの外風などを強制的に遮断するために用いるシャッター装置に関するものである。
【背景技術】
【０００２】
従来、この種のシャッター装置として、その構造面を示すものとしては一体に形成された円筒内の中間部分にダンパー（シャッター）を回転自在に備えたダクト用ダンパが知られている（例えば、特許文献１参照）。
【０００３】
これは図４に示すように、一体に形成された円筒ダクト１０１内に回動するための支持部１０２を備えたダンパ（シャッター）１０３を配して構成され、ダンパ（シャッター）１０３を回動させて風路の開閉を行うものである。
【０００４】
また、この種のシャッター装置として、その本体の設置状況を示すものとしては、室内側または屋外側に連通するダクトと換気装置側に連通するダクトとの間に設置することを特徴とするものが知られている。（例えば、特許文献２参照）。
【０００５】
以下、そのシャッター装置について図５を参照しながら説明する。
【０００６】
図に示すように、建物の天井裏１０４に設けられ、天面部または側面部にダクト１０５と接続されるアダプター１０６を設けた箱体と、この箱体の内部に送風機を備えた換気装置１０７で、前記アダプターと室内１０８に連通させるダクト１０５があり、前記換気装置と室内を連通させる前記ダクト１０５の中間に接続されることを特徴とするシャッター装置１０９であった。
【特許文献１】実開平３−２３７３９号公報
【特許文献２】特開昭６１−１９１８２３号公報
【発明の開示】
【発明が解決しようとする課題】
【０００７】
しかしながら、構造面での従来の構成ではダンパー（シャッター）の組み付けに時間がかかったり、メンテナンス等で完成品を分解することが困難であった。
【０００８】
本発明は、上記従来の課題を解決するもの、単純な構成とし組立てを容易にするとともに、組み付けて完成したものを、メンテナンス修理等の理由で分解する場合でも、簡単に分解することができるシャッター装置を提供することを目的とする。
【０００９】
また、設置面での従来の構成では、シャッター装置を設置するのに屋外側のダクトと換気装置側のダクト中継で設置しなければならないため、ダクトを少なくとも２本以上使用しなければならない。また、設置場所が換気装置とシャッター装置で異なり、各々の施工作業及びメンテナンスの作業場所が違うため作業工数が増えてしまうという課題があった。
【００１０】
また、ダクトを介してアダプターと電動シャッターを接続するのでダクトを固定するための余分な吊りバンドが必要となるという課題があった。
【００１１】
本発明は、前記従来の課題を解決するもので、換気装置とシャッター装置を設置する際のダクト接続本数や吊りバンドの数を減らし、施工性を向上するとともに施工作業場所を減らすことができるシャッター装置を提供することを目的とする。
【課題を解決するための手段】
【００１２】
従来の課題を解決するために本発明のシャッター装置は、アダプター側筒体とダクト側筒体とシャッターから成り、アダプター側筒体またはダクト側筒体にシャッターを回動可能に保持する保持部を設け、この保持部にシャッターを保持した後、前記アダプター側筒体とダクト側筒体を係合させ合体組立てするシャッター装置において、アダプター側筒体とダクト側筒体の材質を樹脂とし相互の合体組立ては差込みの方法、分解する際は引き抜きの方法としたシャッター装置、としたものである。
【００１３】
すなわち、筒体をアダプター側とダクト側に分けることで、その間に配置するシャッターの組み付けが容易で精度良く組立てできるようになる。
【００１４】
また、２つの筒体の組み付けは差し込んで行うので、やり易く、単純な作業なので品質が安定し、且つ、組み付けた後の分解は、逆の作業としての引き抜きなので、これも簡単な作業となるものである。
【００１５】
また、従来の課題を解決するために本発明のシャッター装置は、アダプターにダクトを接続して換気をする換気装置の該アダプターに直接装着することを特徴とするシャッター装置、としたものである。
【００１６】
この手段により、シャッター装置と換気装置が近接することになり、取付作業やメンテナンス作業をする場合に、同時に、且つ、同位置で作業が可能となり作業効率が大幅に向上することとなる。
【００１７】
また、シャッター装置と換気装置間の接続ダクトは不要となるとともに、そのダクトを固定するための吊りバンドも不要となり、部品点数が減って、当然、その取付作業等も不要となるものである。
【００１８】
また、一方側は換気装置に設けられた前記アダプターが内挿されて接続され、他方側はダクトが外挿されて接続され通風路を形成することを特徴とするシャッター装置、としたものである。
【００１９】
また、換気装置に設けられたアダプターが内挿され接続させる側の内周部に、前記アダプター先端部と当接させる段差を備える電動シャッター装置、としたものである。
【００２０】
また、換気装置を停止させたとき屋外と換気装置を連通させるダクトから侵入する外風を強制的に遮断させるシャッターの形状が円形状になっていることを特徴とする電動シャッター装置、としたものである。
【００２１】
また、シャッターの開閉軸が、ダクト接続口を正面視したときにシャッターを略均等に２分割することを特徴とする電動シャッター装置、としたものである。
【００２２】
また、アダプターが内挿される部分とダクトが外挿される部分に分割可能な構成とした電動シャッター装置、としたものである。
【００２３】
また、アダプターに接続する接続口を備える構成部品にシャッター軸を保持する切り欠き部を備え、前記シャッター軸が回動自在に接触する前記切り欠き部の内縁を山形状にした電動シャッター装置、としたものである。
【発明の効果】
【００２４】
本発明の電動シャッター装置によれば、換気装置が備えるアダプターに直接に接続できることにより、接続ダクト本数をすくなくとも１本削減でき、換気装置と電動シャッター装置の設置作業を同じ場所で行え、施工作業の削減になる。
【発明を実施するための最良の形態】
【００３４】
本願請求項１記載の発明は、屋外に連通するダクトに接続される円筒形のダクト接続口を一方側に備えたダクト側筒体と、換気装置の吹出口に設けられたアダプターに接続するための円筒形のアダプター接続口を一方側に備えたアダプター側筒体と、前記ダクト側筒体および前記アダプター側筒体の内部の通風路を開閉するシャッターと、前記シャッターと連結して回動させる電動開閉器とを備えた電動シャッター装置であって、前記ダクト側筒体と前記アダプター側筒体とは、それぞれの前記一方側に対するもう一方側において差し込み合体され、その際に、前記ダクト側筒体と前記アダプター側筒体のいずれかの前記もう一方側に備えた保持部によって前記シャッターを回動可能に保持するとともに、前記電動開閉器が、前記ダクト側筒体と前記アダプター側筒体のそれぞれの外側面に半割状態で形成された箱体が合体して中央部分に１つに完成される箱体に収められる電動シャッター装置、としたものであり、筒体をアダプター側とダクト側の２つに分けることで、その間に配するシャッターおよび電動開閉器を収納する箱体を容易に、うまく精度良く組み付けられ、また、シャッターを電動シャッターと明確にして、換気装置と同様シャッター装置も電動となることで相互の電気的配線を真近、近傍で行うことで効率良く短時間で行えることとなるものである。また、電動シャッターのアダプター接続口を換気装置のアダプターに直接装着することで、電動シャッターと換気装置の間のダクトが不要になり、その分の取付作業が不要となり、その分の吊りバンドも不要となる。また、換気装置と電動シャッター装置がほぼ同場所に取付となるので、設置の作業スペースを小さく出来、メンテナンス作業も近傍で行えることができ、作業効率を向上できることとなる。
【００３９】
また、請求項２記載の発明は、差込み合体されている前記ダクト側筒体と前記アダプター側筒体を、相互に引き抜き分割可能な構成とした電動シャッター装置、というものであり、シャッター装置の組立て構成が単純な差込みで、且つ、引き抜くことで分解できるので、メンテナンス修理などに非常に有効となる。
【００４０】
また、請求項３記載の発明は、前記シャッターにシャッター軸を設け、前記ダクト側筒体と前記アダプター側筒体のいずれかの前記もう一方側に、前記シャッター軸を回動自在に保持する切り欠き部を設け、前記切り欠き部の内縁を盛り上げて前記シャッター軸との接触面積を小さくする山形状にした電動シャッター装置、としたものであり、このようにすることで、シャッター軸を保持する部分との接触面積を小さくすることができ、シャッター開閉するときのシャッター軸と切り欠き部との摩擦抵抗を受けにくくすることができるので、切り欠き部に軸を入れるだけの簡単な組付けで確実にシャッター軸を保持でき、且つ、軸を保持する切り欠き部の耐久性を大きく向上できる。
【００４２】
（実施の形態１）
以下、本発明のシャッター装置について図を参照しながら説明する。
【００４３】
図１〜図３に示すように、下面に吸込口１２を有し、最低１箇所以上の側部にダクト４と接続されるアダプター５を備えた吹出口９を設け、一端側に外方に突出したフランジ部１４を有する箱体の内部に送風部として送風機を具備する機器である換気装置２が、図示していないが、天井壁８から吊り下げられた吊りボルトにナットで固定され、吊り下げられた状態で天井張り板１の埋め込み口１０から箱体部分を天井裏７に入れて、吸込み口１２面を天井張り板１面に合わせて配設されている。
【００４４】
換気装置２のアダプター５には、電動シャッター装置６のアダプター側筒体２３のアダプター接続口１６がアダプター５の外側に挿入され、図示していないがアルミ状のテープにより、テーピングされて固定されている。また、電動シャッター装置６のダクト側筒体２４のダクト接続口１８には、塩化ビニル製で断面丸型のダクト４がダクト接続口１８の外側に挿入され、図示していないが、やはり、アルミ状のテープにより、テーピングされて固定されている。
【００４５】
ダクト４は天井壁８に打ち込み固定した吊りバンド１５で吊られた状態で固定され、壁を貫通して屋外３に連通させている。
【００４６】
また、換気装置２の取付箇所の近傍には点検口１１が有り、この点検口１１から作業者１３が換気装置２と電動シャッター装置６の点検や修理を行うことができる。
【００４７】
ここで、電動シャッター装置６について詳細説明する。
【００４８】
図２及び図３に示すように、アダプター５が内挿され接続されるアダプター側筒体２３の一方にはアダプター接続口１６があり、このアダプター接続口１６の内周部にアダプター５の先端部を当接させるために、アダプアー接続口１６の円中心方向に突出する段差２２を設け、この段差２２の内周下部にはそのアダプター当接面からダクト接続口方向（排気方向）に勾配のついた溝２６を設け、この溝２６は電動シャッター装置６が組み立てられた状態ではダクト接続口１８の最端まで連続して設けられている。
【００４９】
また、アダプター側筒体２３のもう一方側には外周にダクト側筒体２４への差込み代を設け、この差込み代は外周径とは若干小径となり、外挿されるダクト側筒体２４の当たり部としての段差を設けることとなる。このアダプター側筒体２３のもう一方側の円筒中央の水平面上にはシャッター軸を保持する２箇所Ｕ字の切り欠き部２５を備え、Ｕ字の切り欠き部２５の内縁が山形状になっている。
【００５０】
アダプター側筒体２３の円筒の外側に一体成形された電動開閉器２１を納める箱体１７ａを半割状態で形成する。電動開閉器２１はアダプター側筒体２３のＵ字の切り欠き部２５にシャッター１９を挿入した後、アダプター側筒体２３にダクト側筒体２４を差込み組立てした後、その組み立てた筒体の中央部分の外側面で、該両筒体の各々に渡ってねじ止めするようになっており、従って、電動開閉器２１を収める箱体は該両筒体の其々に半割状態で形成されている。
【００５１】
シャッター１９は円形状であり、その円中心に該シャッターの開閉動作中心となる円柱形のシャッター軸が一体成形され、そのシャッター軸の一端側には楕円形状の板を備え、この楕円形状の板面上にシャッター軸の線上からずらして電動開閉器２１と連結させる突起部を備えている。
【００５２】
ダクト側筒体２４は、一方にダクト４が外挿される円筒形状のダクト接続口１８を備え、もう一方側にはアダプター側筒体２３とを挿着する差込み接続口を備え、この差込み接続口端部にアダプター側筒体２３のＵ字の切り欠き部２５に係合するＵ字形状の切り欠き部を２箇所設け、また、該もう一方側の円筒形内部にはアダプター側筒体２３と差込み合体
させた際に当接させる段差を備え、その段差にアダプター側筒体２３の円筒形内部に備える溝と連続するように排気側への勾配を設けた溝２６を有している。
【００５３】
また、ダクト側筒体２４の円筒の外側には一体成形された電動開閉器２１を治める箱体１７ｂを半割状態で形成する。この半割状態の箱体の排気側方向すなわちダクト接続口方向の側端面に2箇所の排気方向に突起する突起部を設ける。
【００５４】
この突起部に蓋２０を引っ掛けて、箱体に蓋２０をすることになる。すなわち、ダクト側筒体２４とアダプター側筒体２３を差込み組み合わせることにより、前記の半割状態の箱体１７ａ及び同箱体１７ｂが合体して１つの完成された箱体になる。この箱体の奥面には２箇所の取り付け用のねじ座があり、このねじ座に前記シャッター１９と連結させる電動開閉器２１を納めねじ固定する。電動開閉器２１をねじ止め固定した後、前記箱体１７ｂに設けられたダクト接続方向に突出した２個の爪部に蓋２０を引掛け、この蓋２０で前記電動開閉器２１を納めた箱体を覆い、前記箱体１７ａに設けられたネジボスに該蓋２０をねじ止め固定する。当然、蓋２０にはネジを通すばか穴を備える。
【００５５】
以上の詳説のように、一方側はダクト４が外挿されて接続し、他方側は、前記アダプター５が内挿され接続される電動シャッター装置６が構成されている。
【００５６】
次に電動シャッター装置６の取付について詳細説明する。
【００５７】
天井張り板１に埋め込み口１０を設け、埋め込み口１０から作業者１３が手を入れて、天井裏７内に吊りバンド１５で吊り下げ固定された塩ビ製、亜鉛鉄板製、アルミ板等の円形ダクト４に電動シャッター装置６のダクト側筒体２４のダクト接続口１８をダクト４の内側に挿入し、そのダクト４との挿入した接合部をアルミテープ等のテープでテーピング固定する。
【００５８】
ここで、電動シャッター装置６の取り付け方向について補追説明する。
【００５９】
本電動シャッター装置６には２つの方向性を設けてある。まず、差込みの方向性についてはダクト側に差し込み出来るのはダクト接続口１８しかなく、アダプター接続口１６にはダクト４は接続できなくなっている。すなわち、筒サイズを各々に合うサイズにするとともに、アダプター接続口１６のあるアダプター側筒体２３の外周には差し込み代とダクト４を当接する段差を設けず、ダクト接続口１８にダクト４を外挿する差込み代とダクト４を当接する段差を設けてある。
【００６０】
次に、水平方向については、装置内に設けてある溝２６が必ず下側に位置するように装置の外縁に表示板にて表示するとともに、装置を取付した状態で電動開閉器２１の箱体の下側になる側面が装置筒のほぼ最外周になるように寸法建てされており、装置を置いた状態で安定した状態が正方向であるよう外観上でも方向性が分かるように工夫されている。
【００６１】
以上の取付の方向性を意識しながら取付を行う。
【００６２】
ここで、説明を装置取付に戻す。
【００６３】
ダクト４をダクト接続口１８に固定した後、アダプター側の取り付け固定を行う。
【００６４】
電動シャッター装置６のアダプター側筒体２３に設けられたアダプター接続口１６に換気装置側のアダプター５を内側に差込み挿入し、アダプター接続口１６の差込み代終端に設けられた段差にアダプターを当接安定させ、その接合部をアルミテープ等でテーピング固定し、天井張り板１にアダプター５のフランジ部分を当接させ固定する。または、前記アダプター５と電動シャッター装置６とを作業者１３の手元で接続固定し、埋め込み口１０から天井裏７内にあるダクト４に電動シャッター装置６を接続固定し、天井張り板１にアダプター５を当接させ固定する。天井張り板１の上側にある天井裏７の空間に換気装置２を埋め込み口１０より入れ込み、前記アダプター５に装着させ、フランジ部１４の水平面を天井張り板１の室内面と当接させ、最終段階で電動シャッターと換気装置の電気接続を行い、配線を完了する。作業者１３は一箇所の点検口１１より覗きながら、電気配線及び各装置の設置作業を一度にすることができるものである。
【００６５】
ここでアダプター５について補追説明する。
【００６６】
本実施の形態のアダプター５は換気装置２の箱体とは別物となっている。すなわち、換気装置２の箱体とは別に、図示していないが、電動シャッター装置６のアダプター接続口１６に接続するアダプター部分と天井張り板１にねじ止めするフランジ部分と換気装置２と係合して合体する部分を備えたものである。したがって、このアダプターを前もって天井張り板１に取り付けてその後、換気装置２の本体である箱体をアダプターに係合合体させて天井張り板１に取り付けるのである。
【００６７】
ここで動作を説明する。
【００６８】
換気装置２を運転させたときは、電動シャッター装置６のシャッター１９が開放し、室内の空気を吸込み、側部のアダプター５と接続された電動シャッター装置６を通り、接続したダクト４より屋外３へ排出する。また、換気装置２が停止したときは電動シャッター装置６のシャッター１９が閉鎖し、屋外３に連通したダクト４より侵入する外風を室内に入るのを防止する。
【００６９】
なお、本発明の電動シャッター装置６を取り付ける装置は、中間ダクト、天埋換気扇、気調システム等の空調機または換気装置であっても、同様の効果を奏するものである。
【００７０】
また、内部に送風機を有さない、いわゆる、単に換気または給排気口といわれるものであってもアダプター部分を有していれば、同じように接続ができ、同様の作用効果を奏するものである。
【００７１】
繰り返しの説明になるが、天井裏７の空間にダクト４を配管し電動シャッター装置６を装着した換気装置２を設置するときは、図１に示すように行う。つまり、天井裏７内に屋外３に連通するダクト４を天井壁８に吊りバンド１５で固定し、作業者１３が天井張り板１に設けてある埋め込み口１０より、電動シャッター装置６とアダプター５をダクト４に装着し、換気装置２を埋め込み設置する。電動シャッター装置６をアダプター５に直接装着して設置するため、同じ作業箇所で換気装置２設置のときに同時に行うことができる。また、メンテナンスを行うときも電動シャッター装置６と換気装置２が同じ場所に設置しているため、換気装置２と電動シャッター装置６を同時に行うことができる。しかし、従来の電動シャッター装置１０６であれば、図５に示すように換気装置１０７と電動シャッター装置１０９の設置場所が離れ、ダクト１０５中間に装着されているため、換気装置１０７と電動シャッター装置１０９の設置作業及び設置後のメンテナンスが、設置場所が離れているため、作業工数が多くかかってしまう。
【００７２】
このように本発明の実施の形態１の電動シャッター装置６によれば、ダクト接続口１８と換気装置２に設けられたアダプター５に直接装着させることができることにより、電動シャッター装置６と換気装置２が近接した場所で設置作業ができることにより、設置作業とメンテナンス作業の工数を減らすことができるものである。
【産業上の利用可能性】
【００７３】
ダクト間に接続するシャッター装置において、一方の接続を内挿接続、もう一方の接続を外挿接続とし、前記内挿接続側を換気装置に直接接続する構成とすることにより、空気の流れをスムーズに出来るとともに、結露水もスムーズに流すことができ、且つ、直接接続でシャッター装置と換気装置が近接するので、この両方への作業が同時、同位置作業となり、作業効率が向上することに成り、このような直接接続構成のシャッター装置は換気装置に限らず、単なる給排気口装置や換気ダクト等の被接続物への適用も可能なものである。
【図面の簡単な説明】
【００７４】
【図１】本発明の実施の形態１における電動シャッター装置と換気装置の取付状態説明図
【図２】同電動シャッター装置の分解斜視図
【図３】同電動シャッター装置の接続部を示す断面図
【図４】従来の電動シャッター装置の断面図
【図５】同電動シャッター装置と換気装置の取付状態説明図
【符号の説明】
【００７５】
１        天井張り板
２        換気装置
３        屋外
４        ダクト
５        アダプター
６        電動シャッター装置
７        天井裏
８        天井壁
９        吹出口
１０      埋め込み口
１１      点検口
１２      吸込口
１３      作業者
１４      フランジ部
１５      吊りバンド
１６      アダプター接続口
１７ａ    箱体
１７ｂ    箱体
１８      ダクト接続口
１９      シャッター
２０      蓋
２１      電動開閉器
２２      段差
２３      アダプター側筒体
２４      ダクト側筒体
２５      Ｕ字の切り欠き部
２６      溝
【図１】
0004396364.tif 000002
【図２】
0004396364.tif 000003
【図３】
0004396364.tif 000004
【図４】
0004396364.tif 000005
【図５】
0004396364.tif 000006